(57)【特許請求の範囲】
【請求項１】
ランダムアクセスが可能な記録媒体に一連のデータとスキップ開始位置情報及びスキップ終了位置情報とを記録して、記録媒体に記録されている一連データを前記スキップ開始位置情報が表わす位置から前記スキップ終了位置情報が表わす位置までスキップさせて再生することが可能なデータ記録再生装置において、
ユーザによる再生開始操作に応じて、記録媒体に記録されている一連データを再生する動作が開始された後、ユーザによるスキップ開始位置マーカ操作に応じて、該操作時点の再生位置を表わす位置情報をスキップ開始位置情報として記録媒体に記録すると共に、該再生位置の前後の再生位置をそれぞれ表わす第１位置情報及び第２位置情報を記録媒体に記録する一方、ユーザによるスキップ終了位置マーカ操作に応じて、該操作時点の再生位置を表わす位置情報をスキップ終了位置情報として記録媒体に記録すると共に、該再生位置の前後の再生位置をそれぞれ表わす第３位置情報及び第４位置情報を記録媒体に記録する記録処理手段と、
ユーザによるマーカ編集操作に応じて、記録媒体に記録されている一連データを、第１位置情報が表わす位置から第２位置情報が表わす位置まで再生した後、第３位置情報が表わす位置から第４位置情報が表わす位置まで再生する動作を実行させる再生制御手段と、
前記再生動作が開始された後、ユーザによるスキップ開始位置マーカ操作に応じて、記録媒体に記録されているスキップ開始位置情報を、該操作時点の再生位置を表わす位置情報に書き換えると共に、ユーザによるスキップ終了位置マーカ操作に応じて、記録媒体に記録されているスキップ終了位置情報を、該操作時点の再生位置を表わす位置情報に書き換える書換え手段
とを具えていることを特徴とするデータ記録再生装置。
【請求項２】
第１位置情報が表わす位置及び第２位置情報が表わす位置はそれぞれ、スキップ開始キーの操作時点から所定時間前の再生位置及び所定時間後の再生位置である一方、第３位置情報が表わす位置及び第４位置情報が表わす位置はそれぞれ、スキップ終了キーの操作時点から所定時間前の再生位置及び所定時間後の再生位置である請求項１に記載のデータ記録再生装置。
【請求項３】
前記再生制御手段は、前記再生動作を繰り返し実行させる請求項１又は請求項２に記載のデータ記録再生装置。
【請求項４】
ユーザによる位置情報確定操作に応じて、記録媒体に記録されている第１位置情報、第２位置情報、第３位置情報及び第４位置情報を消去する消去手段を具えている請求項１乃至請求項３の何れかに記載のデータ記録再生装置。
【請求項５】
前記再生制御手段は、ユーザによる位置情報確認操作に応じて、記録媒体に記録されている一連データを、第１位置情報が表わす位置からスキップ開始位置情報が表わす位置まで再生した後、スキップ終了位置情報が表わす位置から第４位置情報が表わす位置まで再生する動作を実行させる請求項１乃至請求項４の何れかに記載のデータ記録再生装置。
【発明の詳細な説明】
【０００１】
【発明の属する技術分野】
本発明は、ハードディスク等のランダムアクセスが可能な記録媒体を対象として、データの記録及び再生が可能なデータ記録再生装置に関するものである。
【０００２】
【従来の技術】
近年、ハードディスクドライブ装置(以下、ＨＤＤという)を内蔵して、チューナによって受信したテレビジョン信号をＨＤＤに記録すると共に、ＨＤＤに記録されているテレビジョン信号を再生することが可能な映像記録再生装置が開発されている。
この種の映像記録再生装置は、スキップ再生機能を有しており、ユーザは、このスキップ再生機能を実現するために、予めスキップ開始位置及びスキップ終了位置を設定しておく。
先ず、ユーザは、編集再生キーを押下することによってハードディスクに記録されているテレビジョン信号の再生を開始させ、該映像記録再生装置に接続されているモニタ装置に表示された映像やカウンタ表示を見ながら、現在の再生位置はスキップを開始させたい位置であると判断した時点でスキップ開始キーを押下すると、その時点の再生位置を表わす位置情報がスキップ開始位置情報としてハードディスクに記録される。続いて、現在の再生位置がスキップを終了させたい位置であると判断した時点でスキップ終了キーを押下すると、その時点の再生位置を表わす位置情報がスキップ終了位置情報としてハードディスクに記録される。
【０００３】
上述の如くスキップ開始位置及びスキップ終了位置を設定した後、ユーザがスキップ再生を実行させるべくスキップ再生キーを押下すると、ハードディスクに記録されているテレビジョン信号が、記録開始位置からスキップ開始位置情報が表わす位置まで再生された後、スキップ終了位置情報が表わす位置から記録終了位置まで再生される。この様にして、ハードディスクに記録されているテレビジョン信号が、予め設定されたスキップ開始位置からスキップ終了位置までスキップされて再生されることになる。
【０００４】
例えば、図１２(ａ)に示す如く映像Ａ〜Ｖによって構成される番組の再生中に、映像Ｄがモニタ装置に表示された時点でスキップ開始キーが押下されると、該時点の再生位置を表わす位置情報がスキップ開始位置情報として記録されると共に、映像Ｓがモニタ装置に表示された時点でスキップ終了キーが押下されると、その時点の再生位置を表わす位置情報がスキップ終了位置情報として記録されることとなる。その後、スキップ再生キーが押下されると、同図(ｂ)に示す如く、映像Ａ〜Ｄが順次表示された後、映像Ｅ〜Ｒがスキップされて映像Ｓ〜Ｖが順次に表示されることになる。
上記映像記録再生装置によれば、テレビジョン信号のコマーシャル部分の開始位置及び終了位置をスキップ開始位置及びスキップ終了位置として設定することによって、該テレビジョン信号に含まれる複数のコマーシャル部分をスキップさせて番組部分のみを再生させることが出来る。
【０００５】
【発明が解決しようとする課題】
しかしながら、従来の映像記録再生装置においては、ユーザが操作のタイミングを誤って、スキップを開始させたい位置よりも前の位置でスキップ開始キーを押下した場合やスキップを終了させたい位置よりも後ろの位置でスキップ終了キーを押下した場合、その後にスキップ開始前の映像とスキップ終了後の映像の継ぎ目を確認すべくスキップ再生キーを押下すると、既に設定されているスキップ開始位置からスキップ終了位置までスキップされるため、真にスキップを開始させたい位置の映像及び真にスキップを終了させたい位置の映像が再生されず、この状態でスキップ開始位置及びスキップ終了位置を訂正することは出来ない。
例えば、図１２(ａ)及び(ｂ)に示す例において、映像Ｆ〜映像Ｑをスキップさせたい場合、映像Ｅがモニタ装置に表示された時点及び映像Ｒがモニタ装置に表示された時点でそれぞれ、スキップ開始キー及びスキップ終了キーを押下しなければならないが、同図(ｂ)の如く映像Ｅ〜映像Ｒがスキップされるため、この状態で、スキップ開始位置及びスキップ終了位置をそれぞれ映像Ｅの表示時点での再生位置及び映像Ｒの表示時点での再生位置に訂正することは出来ない。
【０００６】
そこで、ユーザは、スキップ開始位置及びスキップ終了位置を訂正する際、一旦、記録媒体に記録されているスキップ開始位置情報及びスキップ終了位置情報を消去するための操作を行なった後、再びスキップ開始位置及びスキップ終了位置を設定するための操作、即ち編集再生キー押下操作、スキップ開始キー押下操作及びスキップ終了キー押下操作を行なわねばならず、この一連の操作が煩雑である問題があった。
又、その際、テレビジョン信号が記録開始位置から再生されるため、スキップ開始位置及びスキップ終了位置の訂正に長い時間がかかる問題があった。
特に、スキップ開始位置及びスキップ終了位置を複数回訂正しなければならない事態が発生した場合には、上記問題は顕著となる。
そこで、本発明の目的は、従来よりも簡易な操作によって、且つ短時間で、スキップ開始位置及びスキップ終了位置を訂正することが出来るデータ記録再生装置を提供することである。
【０００７】
【課題を解決する為の手段】
本発明に係るデータ記録再生装置は、
ユーザによる再生開始操作に応じて、記録媒体に記録されている一連データを再生する動作が開始された後、ユーザによるスキップ開始位置マーカ操作に応じて、該操作時点の再生位置を表わす位置情報をスキップ開始位置情報として記録媒体に記録すると共に、該再生位置の前後の再生位置をそれぞれ表わす第１位置情報及び第２位置情報を記録媒体に記録する一方、ユーザによるスキップ終了位置マーカ操作に応じて、該操作時点の再生位置を表わす位置情報をスキップ終了位置情報として記録媒体に記録すると共に、該再生位置の前後の再生位置をそれぞれ表わす第３位置情報及び第４位置情報を記録媒体に記録する記録処理手段と、
ユーザによるマーカ編集操作に応じて、記録媒体に記録されている一連データを、第１位置情報が表わす位置から第２位置情報が表わす位置まで再生した後、第３位置情報が表わす位置から第４位置情報が表わす位置まで再生する動作を実行させる再生制御手段と、
前記再生動作が開始された後、ユーザによるスキップ開始位置マーカ操作に応じて、記録媒体に記録されているスキップ開始位置情報を、該操作時点の再生位置を表わす位置情報に書き換えると共に、ユーザによるスキップ終了位置マーカ操作に応じて、記録媒体に記録されているスキップ終了位置情報を、該操作時点の再生位置を表わす位置情報に書き換える書換え手段
とを具えている。
【０００８】
本発明に係るデータ記録再生装置においては、ユーザによる再生開始操作に応じて、記録媒体に記録されている一連データの再生が開始された後、ユーザが、現在の再生位置はスキップを開始させたい位置であると判断した時点でスキップ開始位置マーカ操作を行なうと、該操作時点の再生位置を表わす位置情報がスキップ開始位置情報として記録媒体に記録されると共に、該操作時点の前後の再生位置をそれぞれ表わす第１位置情報及び第２位置情報が記録媒体に記録される。又、現在の再生位置はスキップを終了させたい位置であると判断した時点でスキップ終了位置マーカ操作を行なうと、該操作時点の再生位置をそれぞれ表わす位置情報がスキップ終了位置情報として記録媒体に記録されると共に、該操作時点の前後の再生位置をそれぞれ表わす第３位置情報及び第４位置情報が記録媒体に記録される。
【０００９】
ユーザが操作のタイミングを誤ってスキップ開始位置マーカ操作或いはスキップ終了位置マーカ操作を行なった場合に、スキップ開始位置及びスキップ終了位置を訂正すべくマーカ編集操作を行なうと、記録媒体に記録されている一連データが、第１位置情報が表わす位置(以下、第１位置という)から第２位置情報が表わす位置(以下、第２位置という)まで再生された後、第３位置情報が表わす位置(以下、第３位置という)から第４位置情報が表わす位置(以下、第４位置という)まで再生される。ここで、ユーザが操作のタイミングを誤ってスキップ開始位置マーカ操作を行なった場合には、真にスキップを開始させたい位置は、該操作時点での再生位置の直前或いは直後に存在するため、第１位置から第２位置までに存在することになる。又、ユーザが操作のタイミングを誤ってスキップ終了位置マーカ操作を行なった場合には、真にスキップを終了させたい位置は、該操作時点での再生位置の直前或いは直後に存在するため、第３位置から第４位置までに存在することになる。
上述の如く一連データが第１位置から第２位置まで再生されるまでに、ユーザが、現在の再生位置が所望のスキップ開始位置であると判断した時点で再びスキップ開始位置マーカ操作を行なうと、記録媒体に記録されているスキップ開始位置情報が、該操作時点の再生位置を表わす位置情報に書き換えられる。又、一連データが第３位置から第４位置まで再生されるまでに、ユーザが、現在の再生位置が所望のスキップ終了位置であると判断した時点で再びスキップ終了位置マーカ操作を行なうと、記録媒体に記録されているスキップ終了位置情報が、該操作時点の再生位置を表わす位置情報に書き換えられる。この様にして、スキップ開始位置及びスキップ終了位置をそれぞれ、所望の位置に訂正することが出来る。
【００１０】
本発明に係るデータ記録再生装置によれば、スキップ開始位置及びスキップ終了位置を訂正する際、記録媒体に記録されているスキップ開始位置情報及びスキップ終了位置情報を消去するための操作は不要である。従って、かかる操作が必要であった従来の映像記録再生装置に比べて、スキップ開始位置及びスキップ終了位置を訂正する際の一連の操作が簡易となる。
又、スキップ開始位置及びスキップ終了位置を訂正する際に、一連データを第１位置から第２位置まで再生させた後、第３位置から第４位置まで再生させることが出来るので、テレビジョン信号が記録開始位置から再生される従来の映像記録再生装置に比べて、スキップ開始位置及びスキップ終了位置の訂正に要する時間を短縮することが出来る。
【００１１】
具体的には、第１位置情報が表わす位置及び第２位置情報が表わす位置はそれぞれ、スキップ開始キーの操作時点から所定時間前の再生位置及び所定時間後の再生位置である一方、第３位置情報が表わす位置及び第４位置情報が表わす位置はそれぞれ、スキップ終了キーの操作時点から所定時間前の再生位置及び所定時間後の再生位置である。
【００１２】
上記具体的構成において、前記所定時間は、例えば十数秒間に設定される。従って、ユーザが操作のタイミングを誤ってスキップ開始位置マーカ操作及びスキップ終了位置マーカ操作を行なった場合には、真にスキップを開始させたい位置及びスキップを終了させたい位置が夫々、第１位置から第２位置までに、及び第３位置から第４位置までに確実に存在することになる。
【００１３】
又、具体的には、前記再生制御手段は、前記再生動作を繰り返し実行させる。
【００１４】
上記具体的構成においては、一連データを第１位置から第２位置まで再生した後、第３位置から第４位置まで再生する動作が繰り返し行なわれる。従って、ユーザは、上述の如くスキップ開始位置マーカ操作及びスキップ終了位置マーカ操作を行なえば、スキップ開始位置及びスキップ終了位置を何度でも訂正することが出来る。
【００１５】
又、具体的には、ユーザによる位置情報確定操作に応じて、記録媒体に記録されている第１位置情報、第２位置情報、第３位置情報及び第４位置情報を消去する消去手段を具えている。
【００１６】
スキップさせる回数が増大した場合には、第１〜第４位置情報の記録のために消費される記録容量が増大する。
そこで、上記具体的構成においては、スキップ開始位置及びスキップ終了位置として所望の位置が得られた後は、上述の如くスキップ開始位置及びスキップ終了位置の訂正処理に用いられる第１〜第４位置情報は不要となるため、ユーザによる位置情報確定操作に応じて、記録媒体に記録されている第１乃至第４位置情報が消去される。
上記具体的構成によれば、スキップさせる回数が増大した場合であっても、スキップ開始位置及びスキップ終了位置として所望の位置が得られた後に位置情報確定操作を行なえば、記録媒体に記録されている第１〜第４位置情報が消去されるので、記録媒体を一連データの記録に有効に利用することが出来る。
【００１７】
更に具体的には、前記再生制御手段は、ユーザによる位置情報確認操作に応じて、記録媒体に記録されている一連データを、第１位置情報が表わす位置からスキップ開始位置情報が表わす位置まで再生した後、スキップ終了位置情報が表わす位置から第４位置情報が表わす位置まで再生する動作を実行させる。
【００１８】
上記具体的構成においては、記録媒体に記録されている一連データが、第１位置からスキップ開始位置情報が表わす位置まで再生された後、スキップ終了位置情報が表わす位置から第４位置まで再生されるので、スキップ開始位置マーカ操作及びスキップ終了位置マーカ操作によって設定されたスキップ開始位置及びスキップ終了位置を確認することが出来る。
又、第１位置から再生が開始されて第４位置で再生が終了するので、記録開始位置から記録終了位置まで再生される従来の映像記録再生装置に比べて、スキップ開始位置及びスキップ終了位置を確認するために要する時間が短縮される。
【００１９】
【発明の効果】
本発明に係るデータ記録再生装置によれば、従来よりも簡易な操作によって、且つ短時間で、スキップ開始位置及びスキップ終了位置を訂正することが出来る。
【００２０】
【発明の実施の形態】
以下、本発明を映像記録再生装置に実施した形態につき、図面に沿って具体的に説明する。
本発明に係る映像記録再生装置は、図１に示す如く、ハードディスクを具えたＨＤＤ(４)を具えており、ＨＤＤ(４)の動作がシステムコントローラ(８)によって制御されている。
又、本実施例の映像記録再生装置は、チューナ(１)を具えており、チューナ(１)によって受信された番組(映像コンテンツ)は、ＮＴＳＣデコード回路(２)にてＡ／Ｄ変換され、更にＭＰＥＧエンコード回路(３)にてＭＰＥＧデータに変換された後、ＨＤＤ(４)に記録される。
又、ＨＤＤ(４)から読み出されたデータは、ＭＰＥＧデコード回路(５)を経てＮＴＳＣエンコード回路(７)へ供給され、映像再生信号に変換された後、後段のモニタ装置へ出力される。前記ＭＰＥＧデコード回路(５)には、デコード処理のためのメモリ(６)が接続されている。
【００２１】
上記映像記録再生装置は、従来の映像記録再生装置と同様に、スキップ再生機能を実現するために予めスキップ開始位置及びスキップ終了位置を設定しておくことが可能であって、ＨＤＤ(４)には、ユーザ操作に応じて、図２に示す如きスキップ管理テーブルが記録されている。
該テーブルには、スキップの回数を表わすマークセットカウント値Ｍと、各回におけるスキップ開始位置を表わすデータＰＢ及びスキップ終了位置を表わすデータＰＥとが格納されている。ここで、マークセットカウント値Ｍは、番組毎に付与される１から始まる連続番号である。又、スキップ開始位置データＰＢ及びスキップ終了位置データＰＥとしてはそれぞれ、各番組を記録開始位置でのタイムカウント値をゼロとして再生したときに、スキップ開始位置で得られるタイムカウント値及びスキップ終了位置で得られるタイムカウント値である。
【００２２】
図１に示す如く、システムコントローラ(８)は、制御回路(80)及びタイマ(81)を具え、制御回路(80)には、スキップ開始位置及びスキップ終了位置を設定する際に操作すべきスキップ開始キー及びスキップ終了キーを具えたキー入力装置(９)が接続されている。
番組の再生時においては、制御回路(80)は、タイマ(81)から出力されるタイムカウント値と、図２に示すスキップ管理テーブルに格納されているスキップ開始データＰＢの値とを比較し、両値が一致したときに、タイマ(81)のタイムカウント値をスキップ終了位置データＰＥの値に設定すると共に、スキップ終了位置データＰＥからハードディスク上のアドレスを算出して、該アドレスからの再生動作をＨＤＤ(４)に指令する。この様にして、ＨＤＤ(４)に録画されている番組がスキップ再生される。
【００２３】
図４乃至図９は、上記制御回路(80)によって実行される制御手続きを表わしている。尚、制御回路(80)には、メモリが内蔵されている。又、タイムカウント値Ｔのカウントアップは１秒周期で行なわれる。
図４に示す如く、先ずステップＳ１にて、ユーザによるメニューキーに対する押下操作に応じて所定のメニュー画面をモニタ装置に表示した後、ステップＳ２では、ユーザによるコンテンツ選択キーに対する押下操作に応じて所定のコンテンツ選択画面を表示する。続いてステップＳ３では、ユーザによる編集再生キーに対する操作に応じて所定の編集再生画面をモニタ装置に表示する。
【００２４】
次にステップＳ４では、何らかのキー操作が行なわれたか否かを判断し、ノーと判断された場合はステップＳ４にて同じ判断を繰り返す一方、イエスと判断された場合は、ステップＳ５に移行して、操作の行なわれた操作キーが再生キーであるか否かを判断する。
【００２５】
操作の行なわれた操作キーが再生キーである場合には、図５のステップＳ６に移行して、タイムカウント値Ｔを“０”に設定すると共に、マークセットカウント値Ｍを“１”に設定した後、ステップＳ７にて、ユーザにより選択された番組の記録開始位置から該番組の通常再生を開始させる。この様にして、ユーザにより選択された番組の映像がモニタ装置に映し出されることになる。
続いてステップＳ８では、タイムカウント値Ｔをカウントアップした後、ステップＳ９では、何らかのキー操作が行なわれたか否かを判断する。ここで、ノーと判断された場合は、ステップＳ１４に移行して、番組が記録終了位置まで再生されたか否かを判断し、ノーと判断された場合は、前記ステップＳ８に戻る。
【００２６】
上述の如く番組の再生が行なわれている状態で、何らかのキー操作が行なわれてステップＳ９にてイエスと判断された場合は、ステップＳ１０に移行して、操作の行なわれた操作キーがスキップ開始キーであるか否かを判断し、ノーと判断された場合は、ステップＳ１５に移行して、操作の行なわれた操作キーがスキップ終了キーであるか否かを判断する。
【００２７】
ユーザが、モニタ装置に表示されている映像を見ながら、現在の再生位置がスキップを開始させたい位置であると判断した時点でスキップ開始キーを押下すると、ステップＳ１０にてイエスと判断されて、ステップＳ１１に移行する。ステップＳ１１では、現時点のタイムカウント値Ｔをスキップ開始位置データＰＢとして内蔵メモリに書き込んだ後、ステップＳ１２では、前記タイムカウント値Ｔから１０を減算して得られる値(Ｔ−１０)を第１位置データＰ１として内蔵メモリに書き込み、続いてステップＳ１３にて、前記タイムカウント値Ｔに１０を加算して得られる値(Ｔ＋１０)を第２位置データＰ２として内蔵メモリに書き込んで、前記ステップＳ１４に移行する。
【００２８】
その後、ユーザが、現在の再生位置がスキップを終了させたい位置であると判断した時点でスキップ終了キーを押下すると、ステップＳ１５にてイエスと判断されてステップＳ１６に移行する。ステップＳ１６では、現時点のタイムカウント値Ｔをスキップ終了位置データＰＥとして内蔵メモリに書き込んだ後、ステップＳ１７では、前記タイムカウント値Ｔから１０を減算して得られる値(Ｔ−１０)を第３位置データＰ３として内蔵メモリに書き込み、続いてステップＳ１８にて、前記タイムカウント値Ｔに１０を加算して得られる値(Ｔ＋１０)を第４位置データＰ４として内蔵メモリに書き込む。
次にステップＳ１９では、現時点のマークセットカウント値Ｍと内蔵メモリに書き込まれているスキップ開始位置データＰＢ及びスキップ終了位置データＰＥとを、図２に示す如くテーブル化してＨＤＤに記録すると共に、現時点のマークセットカウント値Ｍと内蔵メモリに書き込まれている第１〜第４位置データＰ１〜Ｐ４とを、図３に示す如くテーブル化してＨＤＤに記録した後、ステップＳ２０では、マークセットカウント値Ｍをカウントアップして、前記ステップＳ１４に移行する。
【００２９】
上記手続きによって、スキップ開始キー及びスキップ終了キーが押下される度に、スキップ開始キー押下時点のタイムカウント値及びスキップ終了キー押下時点のタイムカウント値がそれぞれ、スキップ開始位置データＰＢ及びスキップ終了位置データＰＥとして図２に示すスキップ管理テーブルに書き込まれることになる。
又、スキップ開始キー押下時点の１０秒前のタイムカウント値、及び１０秒後のタイムカウント値と、スキップ終了キー押下時点の１０秒前のタイムカウント値、及び１０秒後のタイムカウント値とがそれぞれ、第１〜第４位置データＰ１〜Ｐ４として図３に示すスキップ編集テーブルに書き込まれることになる。
この様にして、スキップ開始位置データＰＢ及びスキップ終了位置データＰＥと共に、スキップ開始キー押下時点の１０秒前の再生位置(第１位置)を表わす第１位置データＰ１、スキップ開始キー押下時点の１０秒後の再生位置(第２位置)を表わす第２位置データＰ２、スキップ終了キー押下時点の１０秒前の再生位置(第３位置)を表わす第３位置データＰ３、及びスキップ終了キー押下時点の１０秒後の再生位置(第４位置)を表わす第４位置データＰ４がＨＤＤに記録される。
例えば、図１０(ａ)に示す如く映像Ａ〜Ｖによって構成される番組の再生中に、映像Ｄがモニタ装置に表示された時点でスキップ開始キーが押下されると、該時点のタイムカウント値がスキップ開始位置データＰＢとしてスキップ管理テーブルに書き込まれると共に、映像Ｓがモニタ装置に表示された時点でスキップ終了キーが押下されると、該時点のタイムカウント値がスキップ終了位置データＰＥとしてスキップ管理テーブルに書き込まれる。
又、スキップ開始キーが押下された時点の１０秒前の時点ｔ１のタイムカウント値及び１０秒後の時点ｔ２のタイムカウント値がそれぞれ、第１位置データＰ１及び第２位置データＰ２としてスキップ編集テーブルに書き込まれると共に、スキップ終了キーが押下された時点の１０秒前の時点ｔ３のタイムカウント値及び１０秒後の時点ｔ４のタイムカウント値がそれぞれ、第３位置データＰ３及び第４位置データＰ４としてスキップ編集テーブルに書き込まれる。
【００３０】
又、番組の再生中に何らかのキー操作が行なわれたが、そのキーがスキップ開始キー及びスキップ終了キーの何れのキーでもない場合は、図５のステップＳ１５にてノーと判断されて図６のステップＳ２２に移行し、操作の行なわれた操作キーがマーク編集キーであるか否かを判断する。ここで、ノーと判断された場合は、ステップＳ２３に移行して、該キー操作に応じた処理を実行して図５のステップＳ１４に戻る。
【００３１】
ユーザが、スキップ開始キー及びスキップ終了キーを押下した直後に、これらの操作のタイミングを誤ったと判断してマーカ編集キーを押下すると、図６のステップＳ２２にてイエスと判断されてステップＳ２４に移行する。
ステップＳ２４では、マークセットカウント値Ｍをカウントダウンした後、ステップＳ２５では、図３に示すスキップ編集テーブルからマークセットカウント値Ｍについての第１位置データＰ１を読み出し、タイムカウント値Ｔを前記読み出した第１位置データＰ１の値に設定する。続いてステップＳ２６では、前記第１位置データＰ１からハードディスク上のアドレスを算出し、該アドレスから数秒間隔のコマ送り再生を開始させる。この様にして、番組の再生位置が最後に設定されたスキップ開始位置の直前の第１位置に戻されて、該位置から番組のコマ送り再生が開始されることになる。
次にステップＳ２７では、タイムカウント値Ｔをカウントアップした後、ステップＳ２８では、何らかのキー操作が行なわれたか否かを判断し、ノーと判断された場合は、ステップＳ３１に移行して、図３に示すスキップ編集テーブルから現時点のマークカウント値Ｍについての第２位置データＰ２を読み出し、現時点のタイムカウント値Ｔが前記読み出した第２位置データＰ２の値と一致するか否かを判断する。ここで、ノーと判断された場合は、ステップＳ３２に移行して、図３に示すスキップ編集テーブルから現時点のマークカウント値Ｍについての第４位置データＰ４を読み出し、現時点のタイムカウント値Ｔが前記読み出した第４位置データＰ４の値と一致するか否かを判断する。ここでノーと判断された場合は、ステップＳ２７に戻る。
【００３２】
その後、現時点のタイムカウント値Ｔが前記第２位置データＰ２の値に達すると、その時点でステップＳ３１にてイエスと判断されてステップＳ３３に移行し、図３に示すスキップ編集テーブルから現時点のマークセットカウント値Ｍについての第３位置データＰ３を読み出し、タイムカウント値Ｔを前記読み出した第３位置データＰ３の値に設定する。続いてステップＳ３４では、前記第３位置データＰ３からハードディスク上のアドレスを算出し、該アドレスからコマ送り再生を開始させた後、前記ステップＳ２７に戻る。この様にして、番組の再生位置が第２位置に達した時点で第３位置に飛ばされて、該位置から継続して番組のコマ送り再生が行なわれることになる。
【００３３】
更に、現時点のタイムカウント値Ｔが前記第４位置データＰ４の値に達すると、その時点でステップＳ３２にてイエスと判断され、ステップＳ２５に戻って上記同様の手続きを実行する。この様にして、番組の再生位置が第４位置に達した時点で第１位置に戻されて、該位置から継続して番組のコマ送り再生が行なわれることになる。
上記手続きが繰り返されることによって、スキップ開始位置及びスキップ終了位置の設定処理の対象となっている番組を、最後に設定されたスキップ開始位置の直前の第１位置からその直後の第２位置までコマ送り再生した後、最後に設定されたスキップ終了位置の直前の第３位置からその直後の第４位置までコマ送り再生する動作が繰り返されることになる。
図１０(ａ)に示す例において、ユーザがスキップ開始キー及びスキップ終了キーを押下した直後にマーク編集キーを押下すると、図１１(ａ)に示す如く、スキップ開始キー押下時点の１０秒前の時点ｔ１の映像Ｂから１０秒後の時点ｔ２の映像Ｆが順次表示された後、スキップ終了キー押下時点の１０秒前の時点ｔ３の映像Ｑから１０秒後の時点ｔ４の映像Ｕが順次表示され、再び映像Ｂから映像Ｆが順次表示される。この様にして、映像Ｂ〜Ｆ、映像Ｑ〜Ｕが繰り返し表示されることになる。
【００３４】
上述のコマ送り再生動作が繰り返されている状態で、何らかのキー操作が行なわれて図６のステップＳ２８にてイエスと判断された場合は、ステップＳ２９に移行して、操作の行なわれた操作キーがスキップ開始キーであるか否かを判断し、ノーと判断された場合は、ステップＳ３５にて、操作の行なわれた操作キーがスキップ終了キーであるか否かを判断する。ここでノーと判断された場合は、ステップＳ３７に移行して、操作の行なわれた操作キーがＥＳＣキーであるか否かを判断し、ノーと判断された場合は、前記ステップＳ２７に戻る。
【００３５】
番組が第１位置から第２位置まで再生されるまでに、ユーザが、モニタ装置に表示されている映像を見ながら、現在の再生位置が真にスキップを開始させたい位置であると判断した時点でスキップ開始キーを押下すると、ステップＳ２９にてイエスと判断されてステップＳ３０に移行し、図２に示すスキップ管理テーブルに書き込まれているスキップ開始位置データＰＢの内、現時点のマークカウント値Ｍについてのデータを現時点のタイムカウント値Ｔに書き換えた後、前記ステップＳ３１に移行する。
【００３６】
その後、番組が第３位置から第４位置まで再生されるまでに、ユーザが、現在の再生位置が真にスキップを終了させたい位置であると判断した時点でスキップ終了キーを押下すると、ステップＳ３５にてイエスと判断されてステップＳ３６に移行し、図２に示すスキップ管理テーブルに書き込まれているスキップ開始位置データＰＥの内、現時点のマークカウント値Ｍについてのデータを現時点のタイムカウント値Ｔに書き換えた後、前記ステップＳ２７に戻る。
【００３７】
上記手続きによって、スキップ開始キーが押下される度に、図２に示すスキップ管理テーブルに書き込まれているスキップ開始位置データＰＢの内、その時点で最下段に書き込まれているデータが、その時点のタイムカウント値に書き換えられることになる。又、スキップ終了キーが押下される度に、スキップ管理テーブルに書き込まれているスキップ開始位置データＰＥの内、その時点で最下段に書き込まれているデータが、その時点のタイムカウント値に書き換えられることになる。この様にして、最後に設定したスキップ開始位置及びスキップ終了位置を訂正することが出来る。
【００３８】
上述の如く最後に設定したスキップ開始位置及びスキップ終了位置を訂正した後、ＥＳＣキーを押下すると、ステップＳ３７にてイエスと判断されてステップＳ３８に移行し、図２に示すスキップ管理テーブルから現時点のマークセットカウント値Ｍについてのスキップ終了位置データＰＥを読み出し、タイムカウント値Ｔを前記読み出したスキップ終了位置データＰＥの値に設定する。続いてステップＳ３９では、前記スキップ終了位置データＰＥからハードディスク上のアドレスを算出し、該アドレスから通常再生を開始させた後、ステップＳ４０では、マークセットカウント値Ｍをカウントアップして、図５のステップＳ１４に戻る。この様にして、番組の再生位置が最後に設定したスキップ終了位置に戻されて、該位置から番組の通常再生が開始されることになる。その後、図５に示す手続きが実行されて、スキップ開始キー及びスキップ終了キーが押下された場合には、スキップ開始位置データＰＢ及びスキップ終了位置データＰＥが図２に示すスキップ管理テーブルに新たに追加されると共に、第１〜第４位置データＰ１〜Ｐ４が図３に示すスキップ編集テーブルに新たに追加されることになる。
そして最終的に、ステップＳ１４にてイエスと判断されたとき、ステップＳ２１にて再生動作を停止させて、手続きを終了する。
【００３９】
モニタ装置に編集再生画面が表示されている状態で、何らかのキー操作が行なわれたが、そのキーが再生キーでない場合は、図４のステップＳ５にてノーと判断されて図７のステップＳ４１に移行し、操作の行なわれた操作キーがマーク編集キーであるか否かを判断する。
上述の如くスキップ開始位置及びスキップ終了位置を設定した番組の再生が終了した後、ユーザが、スキップ開始位置及びスキップ終了位置を訂正すべくマーカ編集キーを押下すると、ステップＳ４１にてイエスと判断されてステップＳ４２に移行する。
【００４０】
ステップＳ４２では、マークセットカウント値Ｍを“１”に設定した後、ステップＳ４３では、図３に示すスキップ編集テーブルからマークセットカウント値Ｍについての第１位置データＰ１を読み出し、タイムカウント値Ｔを前記読み出した第１位置データＰ１の値に設定する。続いてステップＳ４４では、前記第１位置データＰ１からハードディスク上のアドレスを算出し、該アドレスから数秒間隔のコマ送り再生を開始させる。この様にして、番組が最初のスキップ開始位置直前の第１位置からコマ送り再生されることになる。
次にステップＳ４５では、タイムカウント値Ｔをカウントアップした後、ステップＳ４６では、何らかのキー操作が行なわれたか否かを判断し、ノーと判断された場合は、ステップＳ４９に移行して、図３に示すスキップ編集テーブルから現時点のマークカウント値Ｍについての第２位置データＰ２を読み出し、現時点のタイムカウント値Ｔが前記読み出した第２位置データＰ２の値と一致するか否かを判断する。ここで、ノーと判断された場合は、ステップＳ５０に移行して、図３に示すスキップ編集テーブルから現時点のマークカウント値Ｍについての第４位置データＰ４を読み出し、現時点のタイムカウント値Ｔが前記読み出した第４位置データＰ４の値と一致するか否かを判断する。ここでノーと判断された場合は、ステップＳ４５に戻る。
【００４１】
その後、現時点のタイムカウント値Ｔが前記第２位置データＰ２の値に達すると、その時点でステップＳ４９にてイエスと判断されてステップＳ５１に移行し、図３に示すスキップ編集テーブルから現時点のマークセットカウント値Ｍについての第３位置データＰ３を読み出し、タイムカウント値Ｔを前記読み出した第３位置データＰ３の値に設定する。続いてステップＳ５２では、前記第３位置データＰ３からハードディスク上のアドレスを算出し、該アドレスから再生を開始させた後、前記ステップＳ４５に戻る。この様にして、番組の再生位置が第２位置に達した時点で第３位置に飛ばされて、該位置から継続して番組のコマ送り再生が行なわれることになる。
【００４２】
更に、現時点のタイムカウント値Ｔが前記第４位置データＰ４の値に達すると、その時点でステップＳ５０にてイエスと判断され、前記ステップＳ４３に戻って上記同様の手続きが実行される。この様にして、番組の再生位置が第４位置に達した時点で前記第１位置に戻されて、該位置から継続して番組のコマ送り再生が行なわれることになる。
上記手続きが繰り返されることによって、スキップ開始位置及びスキップ終了位置が設定された番組を、最初のスキップ開始位置の直前の第１位置からその直後の第２位置までコマ送り再生した後、最初のスキップ終了位置の直前の第３位置からその直後の第４位置までコマ送り再生する動作が繰り返されることになる。
【００４３】
上述のコマ送り再生動作が繰り返されている状態で、何らかのキー操作が行なわれてステップＳ４６にてイエスと判断された場合は、ステップＳ４７に移行して、操作の行なわれた操作キーがスキップ開始キーであるか否かを判断し、ノーと判断された場合は、ステップＳ５３にて、操作の行なわれた操作キーがスキップ終了キーであるか否かを判断する。
【００４４】
番組が第１位置から第２位置まで再生されるまでに、ユーザが、モニタ装置に表示されている映像を見ながら、現在の再生位置が真にスキップを開始させたい位置であると判断した時点でスキップ開始キーを押下すると、ステップＳ４７にてイエスと判断されてステップＳ４８に移行し、図２に示すスキップ管理テーブルに書き込まれているスキップ開始位置データＰＢの内、現時点のマークカウント値Ｍについてのデータを現時点のタイムカウント値Ｔに書き換えた後、前記ステップＳ４９に移行する。
【００４５】
その後、番組が第３位置から第４位置まで再生されるまでに、ユーザが、現在の再生位置が真にスキップを終了させたい位置であると判断した時点でスキップ終了キーを押下すると、ステップＳ５３にてイエスと判断されてステップＳ５４に移行し、図２に示すスキップ管理テーブルに書き込まれているスキップ開始位置データＰＥの内、現時点のマークカウント値Ｍについてのデータを現時点のタイムカウント値Ｔに書き換えた後、前記ステップＳ４５に戻る。
【００４６】
上記手続きによって、スキップ開始キーが押下される度に、図２に示すスキップ管理テーブルに書き込まれているスキップ開始位置データＰＢの内、最上段に書き込まれているデータが、その時点のタイムカウント値に書き換えられることになる。又、スキップ終了キーが押下される度に、スキップ管理テーブルに書き込まれているスキップ開始位置データＰＥの内、最上段に書き込まれているデータが、その時点のタイムカウント値に書き換えられることになる。この様にして、最初のスキップ開始位置及びスキップ終了位置を訂正することが出来る。
【００４７】
上述のコマ送り再生動作が繰り返されている状態で、何らかのキー操作が行なわれたが、そのキーがスキップ開始キー及びスキップ終了キーの何れのキーでもない場合には、ステップＳ５３にてノーと判断されて図８のステップＳ５５に移行し、操作の行なわれたキーがＮＥＸＴキーであるか否かを判断する。ここで、ノーと判断された場合は、ステップＳ５９に移行して、操作の行なわれたキーが再生停止キーであるか否かを判断し、ノーと判断された場合は、図７のステップＳ４５に戻る。
【００４８】
ユーザが次のスキップ開始位置及びスキップ終了位置を訂正すべくＮＥＸＴキーを押下すると、図８のステップＳ５５にてイエスと判断され、ステップＳ５６に移行して、マークカウント値Ｍが最大値であるか否かを判断する。ここで、ノーと判断された場合は、ステップＳ５７にてマークカウント値Ｍをカウントアップした後、図７のステップＳ４３に戻って、上記同様の手続きを繰り返す。
その後、マークカウント値Ｍが最大値に達すると、図８のステップＳ５６にてイエスと判断され、ステップＳ５８に移行して、マークカウント値Ｍを“１”に設定した後、図７のステップＳ４３に戻って、上記同様の手続きを繰り返す。
【００４９】
図２及び図３に示す例では、マークカウント値Ｍの最大値は“３”であるので、ＮＥＸＴキーが１回押下されると、番組を２回目のスキップ開始位置直前の第１位置からその直後の第２位置までコマ送り再生した後、２回目のスキップ終了位置直前の第３位置からその直後の第４位置までコマ送り再生する動作が繰り返されて、２回目のスキップ開始位置及びスキップ終了位置を訂正することが可能な状態となる。再びＮＥＸＴキーが押下されると、番組を３回目のスキップ開始位置直前の第１位置からその直後の第２位置までコマ送り再生した後、３回目のスキップ終了位置直前の第３位置からその直後の第４位置までコマ送り再生する動作が繰り返されて、３回目のスキップ開始位置及びスキップ終了位置を訂正することが可能な状態となる。更にＮＥＸＴキーが押下されると、最初のスキップ開始位置及びスキップ終了位置を訂正することが可能な状態となる。
又、図１０(ａ)に示す例では、マークセットカウント値Ｍの最大値は“１”であるので、ＮＥＸＴキーの押下の有無に拘わらず、図１１(ａ)に示す如く、映像Ｂ〜Ｆ、映像Ｑ〜Ｕが繰り返し表示されることになる。
ユーザが、スキップ開始位置及びスキップ終了位置を訂正した後、再生停止キーを押下すると、図８のステップＳ５９にてイエスと判断されてステップＳ６０に移行し、再生を停止させて手続きを終了する。
【００５０】
モニタ装置に編集再生画面が表示されている状態で、何らかのキー操作が行なわれたが、そのキーが再生キー及びマーク編集キーの何れのキーでもない場合は、図７のステップＳ４１にてノーと判断されて図９のステップＳ６１に移行し、操作の行なわれた操作キーが編集確認キーであるか否かを判断する。
ユーザが、スキップ開始前の映像とスキップ終了後の映像の継ぎ目を確認すべく編集確認キーを押下すると、図９のステップＳ６１にてイエスと判断されてステップＳ６３に移行する。
【００５１】
ステップＳ６３では、マークセットカウント値Ｍを“１”に設定した後、ステップＳ６４では、図３に示すスキップ編集テーブルからマークセットカウント値Ｍについての第１位置データＰ１を読み出し、タイムカウント値Ｔを前記読み出した第１位置データＰ１の値に設定する。続いてステップＳ６５では、前記第１位置データＰ１からハードディスク上のアドレスを算出し、該アドレスから再生を開始させる。この様にして、最初のスキップ開始位置直前の第１位置から番組の再生が開始されることになる。
次にステップＳ６６では、タイムカウント値Ｔをカウントアップした後、ステップＳ６７では、図２に示すスキップ管理テーブルからマークセットカウント値Ｍについてのスキップ開始位置データＰＢを読み出し、現時点のタイムカウント値Ｔが前記読み出したスキップ開始位置データＰＢの値と一致するか否かを判断する。ここで、ノーと判断された場合は、ステップＳ６６に戻ってタイムカウント値のカウントアップを繰り返す。
【００５２】
その後、現時点のタイムカウント値Ｔが前記スキップ開始位置データＰＢの値に達すると、その時点でステップＳ６７にてイエスと判断されてステップＳ６８に移行し、図２に示すスキップ管理テーブルから現時点のマークカウント値Ｍについてのスキップ終了位置データＰＥを読み出し、現在のタイムカウント値Ｔを前記読み出したスキップ終了位置データＰＥに設定する。続いてステップＳ６９では、前記スキップ終了位置データＰＥからハードディスク上のアドレスを算出し、該アドレスから再生を開始させた後、ステップＳ７０に移行する。この様にして、番組の再生位置が最初のスキップ開始位置に達した時点でスキップ終了位置に飛ばされて、該位置から継続して番組の再生が行なわれることになる。
【００５３】
ステップＳ７０では、タイムカウント値Ｔをカウントアップした後、ステップＳ７１では、図３に示すスキップ編集テーブルからマークセットカウント値Ｍについての第４位置データＰ４を読み出し、現時点のタイムカウント値Ｔが前記読み出した第４位置データＰ４の値と一致するか否かを判断する。ここで、ノーと判断された場合は、ステップＳ７０に戻ってタイムカウント値のカウントアップを繰り返す。
その後、現時点のタイムカウント値Ｔが前記第４位置データＰ４の値に達すると、その時点でステップＳ７１にてイエスと判断され、ステップＳ７２に移行して、現時点のマークセットカウント値Ｍが最大値であるか否かを判断し、ノーと判断された場合は、ステップＳ７３にてマークセットカウント値Ｍをカウントアップした後、ステップＳ６４に戻って、上記同様の手続きを繰り返す。
マークセットカウント値Ｍが最大値に達すると、ステップＳ７２にてイエスと判断され、ステップＳ７４にて、再生を停止させた後、ステップＳ７５に移行して確定キーが押下されたか否かを判断する。ここでイエスと判断された場合は、ステップＳ７６にて、ハードディスクに記録されている図３に示すスキップ編集テーブルを消去して、手続きを終了する。
図２及び図３に示す例では、番組が最初のスキップ開始位置直前の第１位置から該スキップ開始位置まで再生された後、最初のスキップ終了位置から第４位置まで再生され、続いて、２回目のスキップ開始位置直前の第１位置から該スキップ開始位置まで再生された後、２回目のスキップ終了位置から第４位置まで再生される。更に、３回目のスキップ開始位置直前の第１位置から該スキップ開始位置まで再生された後、３回目のスキップ終了位置から第４位置まで再生される。その後、確定キーが押下されたとき、図３に示すスキップ編集テーブルが消去されることになる。
【００５４】
図１０(ａ)に示す例において、ユーザが編集確認キーを押下すると、マークセットカウント値Ｍは“１”であるので、同図(ｂ)に示す如く、スキップ開始キー押下時点の１０秒前の時点ｔ１の映像Ｂからスキップ開始キー押下時点の映像Ｄが順次表示され、続いてスキップ終了キー押下時点の映像Ｓから１０秒後の時点ｔ４の映像Ｕが順次表示された後、番組の再生が終了する。
例えば、映像Ｆ〜映像Ｑをスキップさせたい場合に、スキップ開始位置及びスキップ終了位置を訂正すべくマーク編集キーを押下すると、図１１(ａ)に示す如く、映像Ｂ〜Ｆ、映像Ｑ〜Ｕがモニタ装置に繰り返し表示されることになる。この状態で、映像Ｅがモニタ装置に表示された時点で再びスキップ開始キーを押下すると、スキップ管理テーブルに書き込まれているスキップ開始位置データＰＢが該押下時点のタイムカウント値に書き換えられると共に、映像Ｒがモニタ装置に表示された時点で再びスキップ終了キーを押下すると、スキップ管理テーブルに書き込まれているスキップ終了位置データＰＥが該押下時点のタイムカウント値に書き換えられる。
その後、ユーザが番組のスキップ再生を開始させるべくスキップ再生キーを押下すると、同図(ｂ)に示す如く、映像Ａ〜Ｅが順次表示された後、映像Ｆ〜Ｑがスキップされて映像Ｒ〜Ｖが順次表示されることになる。
【００５５】
上記映像記録再生装置によれば、スキップ開始位置及びスキップ終了位置を訂正する際、ＨＤＤに記録されているスキップ開始位置データ及びスキップ終了位置データを消去する操作は不要であり、かかる操作が必要であった従来の映像記録再生装置に比べて、スキップ開始位置及びスキップ終了位置を訂正する際の一連の操作が簡易となる。
又、スキップ開始位置及びスキップ終了位置を訂正する際に、マーク編集キーを押下すれば、番組がスキップ開始位置の直前の第１位置からその直後の第２位置までコマ送り再生された後、スキップ終了位置の直前の第３位置からその直後の第４位置までコマ送り再生されるので、番組が記録開始位置から再生される従来の映像記録再生装置に比べて、スキップ開始位置及びスキップ終了位置の訂正に要する時間が短縮される。
又、スキップ開始位置及びスキップ終了位置を訂正した後、確定キーを押下すれば、ハードディスクに記録されている図３に示すスキップ編集テーブルが消去されるので、ハードディスクを番組の録画に有効に利用することが出来る。
更に、編集確認キーを押下すれば、番組がスキップ開始位置の直前の第１位置からスキップ開始位置まで再生された後、スキップ終了位置からその直後の第４位置まで再生されるので、番組が記録開始位置から再生される従来の映像記録再生装置に比べて、スキップ開始前の映像とスキップ終了後の映像の継ぎ目を確認するために要する時間が短縮される。
【００５６】
尚、本発明の各部構成は上記実施の形態に限らず、特許請求の範囲に記載の技術的範囲内で種々の変形が可能である。
例えば、上記実施の形態においては、スキップ開始位置データＰＢ、スキップ終了位置データＰＥ、及び第１〜第４位置データＰ１〜Ｐ４として、タイムカウント値を記録する構成が採用されているが、ハードディスク上のアドレスを記録する構成を採用することも可能である。
又、第１位置データＰ１及び第２位置データＰ２として夫々、スキップ開始キー押下時点の１０秒前のタイムカウント値及び１０秒後のタイムカウント値を記録する構成を採用しているが、これに限らず、所定アドレスだけ前のアドレス及び所定アドレスだけ後のアドレスを記録する構成を採用することも可能である。更に、マーク編集キーが押下されたとき、番組をコマ送り再生する構成を採用しているが、スロー再生する構成を採用することも可能である。
【図面の簡単な説明】
【図１】本発明を実施した映像記録再生装置の構成を表わすブロック図である。
【図２】ＨＤＤに記録されているスキップ管理テーブルを表わす図である。
【図３】ＨＤＤに記録されているスキップ編集テーブルを表わす図である。
【図４】本発明のシステムコントローラによって実行される制御手続きを表わすフローチャートである。
【図５】図４の第１の分図である。
【図６】図４の第２の分図である。
【図７】図４の第３の分図である。
【図８】図４の第４の分図である。
【図９】図４の第５の分図である。
【図１０】スキップ開始前の映像とスキップ終了後の映像の継ぎ目を確認する際に、上記映像記録再生装置によってモニタ装置に表示される番組映像の変化例を表わす図である。
【図１１】スキップ開始位置及びスキップ終了位置を訂正する際に、上記映像記録再生装置によってモニタ装置に表示される番組映像の変化例を表わす図である。
【図１２】スキップ開始前の映像とスキップ終了後の映像の継ぎ目を確認する際に、従来の映像記録再生装置によってモニタ装置に表示される番組映像の変化例を表わす図である。
【符号の説明】
(１)  チューナ
(２)  ＮＴＳＣデコード回路
(３)  ＭＰＥＧエンコード回路
(４)  ＨＤＤ
(５)  ＭＰＥＧデコード回路
(６)  メモリ
(７)  ＮＴＳＣエンコード回路
(８)  システムコントローラ
【図１】
0003789844.tif 000002
【図２】
0003789844.tif 000003
【図３】
0003789844.tif 000004
【図４】
0003789844.tif 000005
【図５】
0003789844.tif 000006
【図６】
0003789844.tif 000007
【図７】
0003789844.tif 000008
【図８】
0003789844.tif 000009
【図９】
0003789844.tif 000010
【図１０】
0003789844.tif 000011
【図１１】
0003789844.tif 000012
【図１２】
0003789844.tif 000013